(57)【要約】【課題】  製造コストの高騰等を来たすことなく、光ピックアップの良好な接地構造を確保する。【解決手段】  導電性金属材料によって形成され光ピックアップ１７をディスク状記録媒体２００の半径方向へ移動させるリードスクリュー２０と、該リードスクリューを回転させる駆動モーター２４と、光ピックアップをディスク状記録媒体の半径方向へ案内するガイド部材２１と、導電性金属材料によって形成されたディスクテーブル１５及び駆動モーター２４が取り付けられたシャーシ７と、樹脂材料によってシャーシと一体に形成されリードスクリューの両端部をそれぞれ支持する２つの軸受３１、３２と、導電性金属材料によって形成されリードスクリューの軸方向における一方の端部を押さえる押さえ部材３３とを設け、該押さえ部材の一部をシャーシに接触させた状態で該シャーシに取り付けるようにした。【選択図】図６
2006099906.tif 000002
【特許請求の範囲】
【請求項１】
ディスク状記録媒体が装着されるディスクテーブルと、
導電性金属材料によって形成され複数の光学部品を配置した移動ベースを有すると共にディスクテーブルに装着されたディスク状記録媒体の半径方向へ移動される光ピックアップと、
導電性金属材料によって形成されると共に軸回り方向へ回転されて光ピックアップをディスク状記録媒体の半径方向へ移動させるリードスクリューと、
該リードスクリューを回転させる駆動モーターと、
リードスクリューと平行に配置され光ピックアップをディスク状記録媒体の半径方向へ案内するガイド部材と、
導電性金属材料によって形成されると共に少なくともディスクテーブル及び駆動モーターが取り付けられるシャーシと、
樹脂材料によってシャーシと一体に形成されると共にリードスクリューの両端部をそれぞれ回転可能に支持する２つの軸受と、
導電性金属材料によって形成されリードスクリューの軸方向における一方の端部を押さえる押さえ部材とを備え、
該押さえ部材の一部をシャーシに接触させた状態で該シャーシに取り付けるようにした
ことを特徴とするディスクドライブ装置。
【請求項２】
上記押さえ部材に所定の方向へ延びる被取付突部を設け、
該被取付突部をシャーシに接触させた状態で取付ネジによってシャーシに取り付けるようにした
ことを特徴とする請求項１に記載のディスクドライブ装置。
【請求項３】
上記駆動モーターを導電性金属材料によって形成された取付板金を介してシャーシに取り付け、
押さえ部材と取付板金を重ねた状態で上記取付ネジによってシャーシに取り付けるようにした
ことを特徴とする請求項２に記載のディスクドライブ装置。
【請求項４】
上記押さえ部材にリードスクリューの軸方向における端面を押さえるスラスト押さえ部とリードスクリューの外周面を押さえるラジアル押さえ部とを設けた
ことを特徴とする請求項１に記載のディスクドライブ装置。
【請求項５】
ディスク状記録媒体に対して情報信号の記録又は再生を行うディスクドライブ装置を備えた電子機器であって、
上記ディスクドライブ装置は、
ディスク状記録媒体が装着されるディスクテーブルと、
導電性金属材料によって形成され複数の光学部品を配置した移動ベースを有すると共にディスクテーブルに装着されたディスク状記録媒体の半径方向へ移動される光ピックアップと、
導電性金属材料によって形成されると共に軸回り方向へ回転されて光ピックアップをディスク状記録媒体の半径方向へ移動させるリードスクリューと、
該リードスクリューを回転させる駆動モーターと、
リードスクリューと平行に配置され光ピックアップをディスク状記録媒体の半径方向へ案内するガイド部材と、
導電性金属材料によって形成されると共に少なくともディスクテーブル及び駆動モーターが取り付けられるシャーシと、
樹脂材料によってシャーシと一体に形成されると共にリードスクリューの両端部をそれぞれ回転可能に支持する２つの軸受と、
導電性金属材料によって形成されリードスクリューの軸方向における一方の端部を押さえる押さえ部材とを備え、
該押さえ部材の一部をシャーシに接触させた状態で該シャーシに取り付けるようにした
ことを特徴とするディスクドライブ装置を備えた電子機器。
【請求項６】
上記押さえ部材に所定の方向へ延びる被取付突部を設け、
該被取付突部をシャーシに接触させた状態で取付ネジによってシャーシに取り付けるようにした
ことを特徴とする請求項５に記載のディスクドライブ装置を備えた電子機器。
【請求項７】
上記駆動モーターを導電性金属材料によって形成された取付板金を介してシャーシに取り付け、
押さえ部材と取付板金を重ねた状態で上記取付ネジによってシャーシに取り付けるようにした
ことを特徴とする請求項６に記載のディスクドライブ装置を備えた電子機器。
【請求項８】
上記押さえ部材にリードスクリューの軸方向における端面を押さえるスラスト押さえ部とリードスクリューの外周面を押さえるラジアル押さえ部とを設けた
ことを特徴とする請求項５に記載のディスクドライブ装置を備えた電子機器。
【発明の詳細な説明】
【技術分野】
【０００１】
本発明はディスクドライブ装置及びこれを備えた電子機器についての技術分野に関する。詳しくは、光ピックアップにおける静電気の帯電を防止して光ピックアップの良好な特性を確保する技術分野に関する。
【背景技術】
【０００２】
ディスク状記録媒体に対して情報信号の記録若しくは再生又はこれらの双方を行うディスクドライブ装置があり、このようなディスクドライブ装置は、例えば、パーソナルコンピューターや音響機器等の各種の電子機器に設けられている。
【０００３】
ディスクドライブ装置にあっては、ディスク状記録媒体がシャーシに取り付けられたディスクテーブルに装着されると、光ピックアップがディスク状記録媒体の半径方向へ移動され、光ピックアップの移動ベースに配置されたレーザーダイオードから出射されたレーザー光がディスク状記録媒体の記録面に照射され、該記録面に照射されたレーザー光が反射されて戻り光としてフォトダイオードで受光され、情報信号の記録や再生が行われる。
【０００４】
光ピックアップは、シャーシに配置された駆動モーターの駆動力が伝達されて回転されるリードスクリューによってディスク状記録媒体の半径方向へ移動され、このときシャーシに取り付けられたガイド部材によって案内される（例えば、特許文献１参照）。
【０００５】
シャーシは各種の部品が取り付けられるため一定以上の剛性が必要とされ、金属材料によって形成されることが多い。
【０００６】
一方、光ピックアップには、上記したように、レーザーダイオードやこれを駆動するためのレザードライバー等の部品が設けられているが、これらの部品は静電気に対する耐久性が弱い。従って、これらの各部品の静電破壊を防止するために、金属材料によって形成されたリードスクリューを介して光ピックアップとシャーシとを導通させて接地を図るようにしている。
【０００７】
【特許文献１】特開２００２−３４３００９号公報
【発明の開示】
【発明が解決しようとする課題】
【０００８】
ところで、シャーシにはリードスクリューを回転自在に支持するための軸受を設ける必要があるが、この軸受は、例えば、金属材料によって形成されたシャーシの一部を加工してシャーシに一体に形成されているものがある。このとき光ピックアップとシャーシとの導通は、金属材料によって形成されたリードスクリューと軸受を介して行うことができるため、容易に接地を図ることができる。
【０００９】
ところが、金属材料によって形成されたシャーシに軸受を一体に形成した場合には、軸受の良好な加工精度を確保することが困難であり、シャーシに対するリードスクリューの位置精度が悪化するおそれがある。
【００１０】
そこで、例えば、金属材料を用いてダイカストによりシャーシとは別部材の軸受を形成し、これをシャーシに取り付けるようにしたものがある。このようにして形成した軸受はダイカストによるため、加工精度が良好であり、また、接地も容易に図ることができる。
【００１１】
しかしながら、シャーシとは別部材として軸受を形成した場合には、軸受をシャーシに取り付けるための取付工程が必要となり、その分、ディスクドライブ装置の組立工程が増え、コスト高や組立工程の複雑化の要因となる他、ダイカスト部品は高価であるため、コストの高騰を来たすという不具合もある。また、軸受をシャーシとは別部材で形成すると、シャーシに対する軸受の良好な取付位置精度を確保することができなくなるおそれもある。
【００１２】
そこで、本発明ディスクドライブ装置及びこれを備えた電子機器は、上記した問題点を克服し、製造コストの高騰等を来たすことなく、光ピックアップの良好な接地構造を確保することを課題とする。
【課題を解決するための手段】
【００１３】
本発明ディスクドライブ装置及びこれを備えた電子機器は、上記した課題を解決するために、ディスク状記録媒体が装着されるディスクテーブルと、導電性金属材料によって形成され複数の光学部品を配置した移動ベースを有すると共にディスクテーブルに装着されたディスク状記録媒体の半径方向へ移動される光ピックアップと、導電性金属材料によって形成されると共に軸回り方向へ回転されて光ピックアップをディスク状記録媒体の半径方向へ移動させるリードスクリューと、該リードスクリューを回転させる駆動モーターと、リードスクリューと平行に配置され光ピックアップをディスク状記録媒体の半径方向へ案内するガイド部材と、導電性金属材料によって形成されると共に少なくともディスクテーブル及び駆動モーターが取り付けられるシャーシと、樹脂材料によってシャーシと一体に形成されると共にリードスクリューの両端部をそれぞれ回転可能に支持する２つの軸受と、導電性金属材料によって形成されリードスクリューの軸方向における一方の端部を押さえる押さえ部材とを設け、該押さえ部材の一部をシャーシに接触させた状態で該シャーシに取り付けるようにしたものである。
【００１４】
従って、本発明ディスクドライブ装置及びこれを備えた電子機器にあっては、リードスクリューが樹脂材料によって形成された軸受に支持されると共に光ピックアップがリードスクリュー及び押さえ部材を介してシャーシに導通される。
【発明の効果】
【００１５】
本発明ディスクドライブ装置は、ディスク状記録媒体が装着されるディスクテーブルと、導電性金属材料によって形成され複数の光学部品を配置した移動ベースを有すると共にディスクテーブルに装着されたディスク状記録媒体の半径方向へ移動される光ピックアップと、導電性金属材料によって形成されると共に軸回り方向へ回転されて光ピックアップをディスク状記録媒体の半径方向へ移動させるリードスクリューと、該リードスクリューを回転させる駆動モーターと、リードスクリューと平行に配置され光ピックアップをディスク状記録媒体の半径方向へ案内するガイド部材と、導電性金属材料によって形成されると共に少なくともディスクテーブル及び駆動モーターが取り付けられるシャーシと、樹脂材料によってシャーシと一体に形成されると共にリードスクリューの両端部をそれぞれ回転可能に支持する２つの軸受と、導電性金属材料によって形成されリードスクリューの軸方向における一方の端部を押さえる押さえ部材とを備え、該押さえ部材の一部をシャーシに接触させた状態で該シャーシに取り付けるようにしたことを特徴とする。
【００１６】
従って、軸受の良好な加工精度を確保しシャーシに対するリードスクリューの位置精度の向上を図ることができると共に良好な接地構造を確保することができ光ピックアップの各部品の静電破壊を防止することができる。
【００１７】
また、軸受が樹脂材料によって形成されているため、軸受としてダイカスト部品等を用いる場合に比し、製造コストの低減を図ることができる。
【００１８】
請求項２に記載した発明にあっては、上記押さえ部材に所定の方向へ延びる被取付突部を設け、該被取付突部をシャーシに接触させた状態で取付ネジによってシャーシに取り付けるようにしたので、押さえ部材とシャーシの接続を確実に行うことができる。
【００１９】
請求項３に記載した発明にあっては、上記駆動モーターを取付板金を介してシャーシに取り付け、押さえ部材と取付板金を重ねた状態で上記取付ネジによってシャーシに取り付けるようにしたので、取付ネジが押さえ部材と取付板金の共通の取付手段として用いられ、部品点数の削減を図ることができる。
【００２０】
また、取付工程も少なくなるため、その分、ディスクドライブ装置の組立作業の簡素化を図ることができる。
【００２１】
請求項４に記載した発明にあっては、上記押さえ部材にリードスクリューの軸方向における端面を押さえるスラスト押さえ部とリードスクリューの外周面を押さえるラジアル押さえ部とを設けたので、リードスクリューと押さえ部材との接触箇所が２カ所存在し、リードスクリューとシャーシの電気的な接続が押さえ部材によって確実に行われる。
【００２２】
本発明電子機器は、ディスク状記録媒体に対して情報信号の記録又は再生を行うディスクドライブ装置を備えた電子機器であって、上記ディスクドライブ装置は、ディスク状記録媒体が装着されるディスクテーブルと、導電性金属材料によって形成され複数の光学部品を配置した移動ベースを有すると共にディスクテーブルに装着されたディスク状記録媒体の半径方向へ移動される光ピックアップと、導電性金属材料によって形成されると共に軸回り方向へ回転されて光ピックアップをディスク状記録媒体の半径方向へ移動させるリードスクリューと、該リードスクリューを回転させる駆動モーターと、リードスクリューと平行に配置され光ピックアップをディスク状記録媒体の半径方向へ案内するガイド部材と、導電性金属材料によって形成されると共に少なくともディスクテーブル及び駆動モーターが取り付けられるシャーシと、樹脂材料によってシャーシと一体に形成されると共にリードスクリューの両端部をそれぞれ回転可能に支持する２つの軸受と、導電性金属材料によって形成されリードスクリューの軸方向における一方の端部を押さえる押さえ部材とを備え、該押さえ部材の一部をシャーシに接触させた状態で該シャーシに取り付けるようにしたことを特徴とする。
【００２３】
従って、軸受の良好な加工精度を確保しシャーシに対するリードスクリューの位置精度の向上を図ることができると共に良好な接地構造を確保することができ光ピックアップの各部品の静電破壊を防止することができる。
【００２４】
また、軸受が樹脂材料によって形成されているため、軸受としてダイカスト部品等を用いる場合に比し、製造コストの低減を図ることができる。
【００２５】
請求項６に記載した発明にあっては、上記押さえ部材に所定の方向へ延びる被取付突部を設け、該被取付突部をシャーシに接触させた状態で取付ネジによってシャーシに取り付けるようにしたので、押さえ部材とシャーシの接続を確実に行うことができる。
【００２６】
請求項７に記載した発明にあっては、上記駆動モーターを取付板金を介してシャーシに取り付け、押さえ部材と取付板金を重ねた状態で上記取付ネジによってシャーシに取り付けるようにしたので、取付ネジが押さえ部材と取付板金の共通の取付手段として用いられ、部品点数の削減を図ることができる。
【００２７】
また、取付工程も少なくなるため、その分、電子機器の組立作業の簡素化を図ることができる。
【００２８】
請求項８に記載した発明にあっては、上記押さえ部材にリードスクリューの軸方向における端面を押さえるスラスト押さえ部とリードスクリューの外周面を押さえるラジアル押さえ部とを設けたので、リードスクリューと押さえ部材との接触箇所が２カ所存在し、リードスクリューとシャーシの電気的な接続が押さえ部材によって確実に行われる。
【発明を実施するための最良の形態】
【００２９】
以下に、本発明ディスクドライブ装置及びこれを備えた電子機器の最良の形態を添付図面に従って説明する。尚、以下に示した最良の形態は、本発明電子機器を携帯用のゲーム機器に適用し、本発明ディスクドライブ装置を携帯用のゲーム機器に設けられたディスクドライブ装置に適用したものである。
【００３０】
尚、本発明電子機器の適用範囲は、携帯用のゲーム機器に限られることはなく、例えば、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置、テレビやラジオ等の視聴用の機器、ディスク状記録媒体を扱う記録用の機器や音響機器等の各種の電子機器に広く適用することができる。
【００３１】
また、本発明ディスクドライブ装置の適用範囲は、上記した各種の電子機器に設けられるディスクドライブ装置に広く適用することができる。
【００３２】
先ず、ディスク状記録媒体を有するディスクカートリッジについて説明する（図１参照）。
【００３３】
ディスクカートリッジ１００は扁平なケース体１０１内にディスク状記録媒体２００が回転可能に収納されて成る。
【００３４】
ケース体１０１は後述するディスクドライブ装置への挿入方向における略半部が略半円形状に形成され、他の部分が横長の略矩形状に形成されている。
【００３５】
ケース体１０１には、その下面１０１ａの中央部にテーブル挿入孔１０１ｂが形成され、該テーブル挿入孔１０１ｂの側方に後述する光ピックアップに設けられたレーザーダイオードから出射されるレーザー光を透過するための光透過孔１０１ｃが形成されている。
【００３６】
ケース体１０１の下面には、左右に離隔して位置決め穴１０１ｄ、１０１ｄが形成されている。
【００３７】
ケース体１０１の内部に収納されたディスク状記録媒体２００の中心部には、磁性金属材料から成るコア２０１が取り付けられ、該コア２０１はケース体１０１のテーブル挿入孔１０１ｂに対応して位置されている。
【００３８】
次に、電子機器について説明する（図１及び図２参照）。
【００３９】
電子機器（ゲーム機器）１は、例えば、扁平な横長の形状に形成され、外筐２内に所要の各部が配置されて成る。
【００４０】
外筐２の前面２ａの中央部には表示部３が配置され、前面２ａの左右両端部にはそれぞれ複数の操作釦（コントロールキー）４、４、・・・が配置されている（図２参照）。外筐２の後面２ｂの左右方向における中央部は蓋部５として設けられ、開閉可能とされている（図１参照）。蓋部５は、例えば、その下端部を支点として回動することにより開閉される。
【００４１】
外筐２の内部にはディスクドライブ装置６が設けられている（図１、図３及び図４参照）。ディスクドライブ装置６はシャーシ７と該シャーシ７に配置された所要の各部とシャーシ７に回動自在に支持されたホルダー８と駆動回路を含む各種の回路とによって構成されている。
【００４２】
尚、以下のディスクドライブ装置６の説明にあっては、便宜上、ホルダー８にディスクカートリッジ１００を挿入する方向を後方、挿入されたディスクカートリッジ１００をホルダー８から取り出す方向を前方、ホルダー８の位置を上、シャーシ７の位置を下として説明する。
【００４３】
シャーシ７は、板状の金属材料、例えば、表面にメッキ処理を行った鉄板や冷間圧延鋼板等によって各部が一体に形成されて成り、略正方形状に形成されたベース部９と該ベース部９の後端部の左右両側縁からそれぞれ上方へ突出された支持突部１０、１０とを有している（図３参照）。
【００４４】
ベース部９の中央部には、図３及び図５に示すように、テーブル配置孔９ａが形成され、その右方にピックアップ配置孔９ｂがテーブル配置孔９ａに連続して形成されている。ベース部９の後端部にはモーター配置孔９ｃが形成されている。ベース部９におけるモーター配置孔９ｃの近傍の位置には、取付螺孔９ｄ、９ｄ及び下方へ突出された位置決めピン９ｅ、９ｅが形成されている。ベース部９におけるピックアップ配置孔９ｂとモーター配置孔９ｃの間の位置には、係合孔９ｆが形成されている。
【００４５】
ベース部９上には前後左右に離隔して４つの受け台部１１、１１、１２、１２が設けられている。前方に位置する２つの受け台部１１、１１上には位置決めピン１３、１３が設けられ、該位置決めピン１３、１３の外径は受け台部１１、１１の外径より小さくされている。
【００４６】
受け台部１１、１１、１２、１２及び位置決めピン１３、１３は樹脂材料、例えば、ポリフェニルエーテル樹脂によって形成され、シャーシ７とアウトサート成形によって一体に形成されている。
【００４７】
ベース部９の略４隅の位置にはそれぞれダンパー取付部１４、１４、・・・が形成されている。
【００４８】
ベース部９のテーブル配置孔９ａにはディスクテーブル１５が配置される（図３及び図４参照）。ディスクテーブル１５は図示しないスピンドルモーターのモーター軸に固定されている。ディスクテーブル１５には図示しないマグネットが設けられている。スピンドルモーターはこれに取り付けられた基板１６がテーブル配置孔９ａの開口縁に取り付けられることによりベース部９に固定され、ディスクテーブル１５はテーブル配置孔９ａから上方へ突出された状態で配置される（図４参照）。ディスクテーブル１５はスピンドルモーターの回転に伴って回転される。
【００４９】
ベース部９のピックアップ配置孔９ｂには光ピックアップ１７が配置される。光ピックアップ１７は移動ベース１８と該移動ベース１８上に支持された対物レンズ駆動装置１９とを有している。移動ベース１８には摺動支持部１８ａ、１８ｂが設けられ、摺動支持部１８ａにリードスクリュー２０が摺動自在に支持され、摺動支持部１８ｂがガイド部材２１に摺動自在に支持されている。
【００５０】
リードスクリュー２０の一端寄りの部分にはウォーム２２が固定されている。
【００５１】
ガイド部材２１は、図５に示すように、ベース部９におけるピックアップ配置孔９ｂの開口縁にベース部９と一体に形成されている。ガイド部材２１は樹脂材料、例えば、ポリフェニルエーテル樹脂によってアウトサート成形を用いてベース部９と一体に形成されている。
【００５２】
移動ベース１８の摺動支持部１８ａには、ナット部材２３が取り付けられている。ナット部材２３には係合突部２３ａが設けられ、該係合突部２３ａがリードスクリュー２０に螺合されている。
【００５３】
光ピックアップ１７は、リードスクリュー２０がベース部９の下面側において回転自在に支持されると共にガイド部材２１がベース部９の下面側において固定されることにより、ピックアップ配置孔９ｂに配置され、該ピックアップ配置孔９ｂ内においてリードスクリュー２０の回転方向に応じた方向へナット部材２３が送られることによりガイド部材２１に案内されて移動可能とされる。
【００５４】
ベース部９のモーター配置孔９ｃには駆動モーター２４が配置される。駆動モーター２４には導電性金属材料によって形成された取付板金２５が取り付けられ、該取付板金２５には駆動モーター２４から互いに反対側に突出された被取付部２５ａ、２５ａが設けられている。被取付部２５ａ、２５ａには、それぞれ１つずつのネジ挿通孔２５ｂ、２５ｂと位置決め孔２５ｃ、２５ｃが形成されている。
【００５５】
駆動モーター２４の下面側にはそのモーター軸に固定された駆動ギヤ２６が配置されている。駆動モーター２４にはフレキシブルプリント配線板２７が接続され、該フレキシブルプリント配線板２７を介して図示しない駆動回路から駆動モーター２４に駆動電流が供給される。フレキシブルプリント配線板２７の上面には図示しない両面テープが貼着されている。
【００５６】
ベース部９の下面側には支持軸２８を介して伝達ギヤ２９が支持される（図３参照）。伝達ギヤ２９は小径の第１のギヤ部２９ａと大径の第２のギヤ部２９ｂとが一体に形成されて成る。第１のギヤ部２９ａはリードスクリュー２０に固定されたウォーム２２に噛合され、第２のギヤ部２９ｂは駆動ギヤ２６に噛合されている。従って、駆動モーター２４の駆動力が駆動ギヤ２６、伝達ギヤ２９及びウォーム２２を介してリードスクリュー２０に伝達され、駆動モーター２４の回転方向に応じた方向へ光ピックアップ１７が移動される。
【００５７】
ベース部９にはテーブル配置孔９ａの周囲の位置に取付台部３０、３０が設けられている（図５参照）。取付台部３０、３０はスピンドルモーターの基板１６の取付部として機能し、樹脂材料、例えば、ポリフェニルエーテル樹脂によってベース部９とアウトサート成形によって一体に形成されている。
【００５８】
ベース部９にはピックアップ配置孔９ｂの近傍の位置に、軸受３１、３２が設けられている（図５参照）。軸受３１、３２は樹脂材料、例えば、ポリフェニルエーテル樹脂によってベース部９とアウトサート成形によって一体に形成されている。
【００５９】
軸受３１はテーブル配置孔９ａの近傍の位置に設けられ、テーブル配置孔９ａ側の端部は、取付台部３０、３０と同様に基板１６の取付部として機能する。軸受３１には軸受溝３１ａと取付孔３１ｂが形成されている。
【００６０】
軸受３２はベース部９の一方の側に設けられ、軸受３１側に開口された受凹部３２ａを有している。
【００６１】
シャーシ７の支持突部１０、１０には、それぞれ側方へ突出された支持軸１０ａ、１０ａが設けられている。
【００６２】
ディスクテーブル１５及びスピンドルモーターは、基板１６が取付台部３０、３０及び軸受３１の一部に下方から接した状態で、ネジ止めによりベース部９に取り付けられる。
【００６３】
光ピックアップ１７はリードスクリュー２０及びガイド部材２１を介してベース部９に移動自在に支持される。リードスクリュー２０はウォーム２２側の端部が軸受３１の軸受溝３１ａに回転自在に支持されると共にウォーム２２の反対側の端部が軸受３２の受凹部３２ａに回転自在に支持される。ガイド部材２１には移動ベース１８の摺動支持部１８ｂが摺動自在に係合される。
【００６４】
リードスクリュー２０の一端部が軸受３１の軸受溝３１ａに回転自在に支持された状態において、ベース部９に押さえ部材３３が取り付けられる（図６参照）。押さえ部材３３は、図７に示すように、バネ性を有する板状の金属材料、例えば、ステンレス鋼によって各部が一体に形成されて成り、上下方向を向く基部３４と、該基部３４の左縁の一部から上方へ突出されたスラスト押さえ部３５と、基部３４の右端部から上斜め後方に突出されたラジアル押さえ部３６と、基部３４の後縁の一部から上方へ突出された係止片部３７と、基部３４の後縁の係止片部３７の左側の位置から上斜め上方へ突出された被取付突部３８とから成る。
【００６５】
基部３４には挿通孔３４ａが形成されている。スラスト押さえ部３５は先端部が後方へ突出されるように屈曲されている。被取付突部３８には挿通孔３８ａが形成されている。
【００６６】
押さえ部材３３は係止片部３７の先端部がベース部９の係合孔９ｆの開口縁に係合されると共に取付ネジ３９、４０によってベース部９に取り付けられる（図６参照）。このとき取付ネジ３９は、図８に示すように、基部３４の挿通孔３４ａ及び軸受３１の取付孔３１ｂに挿通され、取付ネジ４０は被取付突部３８の挿通孔３８ａ、駆動モーター２４の取付板金２５の一方のネジ挿通孔２５ｂ及びベース部９の一方の取付螺孔９ｄに挿通される。従って、押さえ部材３３は被取付突部３８が取付板金２５に重ねられた状態でベース部９に取り付けられ、取付板金２５も取付ネジ４０によってベース部９に取り付けられることになる。
【００６７】
上記のように、押さえ部材３３の被取付突部３８と取付板金２５が重ねられた状態で取付ネジ４０によってベース部９に取り付けられるため、取付ネジ４０が押さえ部材３３と取付板金２５の共通の取付手段として用いられ、部品点数の削減を図ることができる。
【００６８】
また、取付工程も少なくなるため、その分、ディスクドライブ装置１の組立作業の簡素化を図ることができる。
【００６９】
尚、被取付突部３８は基部３４から所定の方向へ突出されており、取付板金２５に重ねられた状態において、該取付板金２５をベース部９に押し付ける役割をも果たす。
【００７０】
駆動モーター２４はフレキシブルプリント配線板２７が取り付けられた状態でベース部９に配置されるが、取付ネジ４０によって取り付けられる前の段階においては、フレキシブルプリント配線板２７に貼着された両面テープがベース部９に接着される。このとき取付板金２５が、上記のように、押さえ部材３３の被取付突部３８によってベース部９に押し付けられるため、取付ネジ４０によって取り付けられる前の状態においても、駆動モーター２４がベース部９に保持され、駆動モーター２４のベース部９からの脱落が防止される。
【００７１】
駆動モーター２４は、取付板金２５の位置決め孔２５ｃ、２５ｃにそれぞれ位置決めピン９ｅ、９ｅが挿入されて位置決めされた状態で、一方のネジ挿通孔２５ｂ及びベース部９の一方の取付螺孔９ｄに挿通される取付ネジ４０と、他方のネジ挿通孔２５ｂ及び取付螺孔９ｄに挿通される図示しない取付ネジとによってベース部９に取り付けられる。
【００７２】
押さえ部材３３がベース部９に取り付けられた状態においては、図９に示すように、リードスクリュー２０の軸方向における一端面がスラスト押さえ部３５によって軸受３２側（右方）に押し付けられ、リードスクリュー２０のウォーム２２寄りの位置の外周面がラジアル押さえ部３６によって軸受３１側（上方）に押し付けられる。
【００７３】
光ピックアップ６は接地が図られており、この接地は、図６に矢印で示すように、光ピックアップ１７、リードスクリュー２０、押さえ部材３３及びシャーシ７の経路で図られている。
【００７４】
このときリードスクリュー２０は押さえ部材３３のスラスト押さえ部３５とラジアル押さえ部３６とに接触され、シャーシ７は押さえ部材３３の係止片部３７と取付板金２５を介して被取付突部３８とに接触されている。従って、リードスクリュー２０及びシャーシ７と押さえ部材３３との接触箇所がそれぞれ２カ所ずつ存在し、リードスクリュー２０とシャーシ７の電気的な接続が押さえ部材３３によって確実に行われる。
【００７５】
また、押さえ部材３３に所定の方向へ突出された被取付突部３８を設け該被取付突部３８を取付ネジ４０によってシャーシ７のベース部９に取り付けているため、押さえ部材３３とシャーシ７の接続を確実に行うことができる。
【００７６】
シャーシ７のダンパー取付部１４、１４、・・・にはそれぞれダンパー４１、４１、・・・が取り付けられる。ダンパー４１、４１、・・・にはそれぞれ図示しないネジ部材が挿入され、該ネジ部材が外筐２内に設けられた図示しない取付ボスに螺合されてシャーシ７が外筐２内において保持される。
【００７７】
ホルダー８は板状の金属材料によって各部が一体に形成されて成り、図３及び図４に示すように、略正方形状に形成された連結面部４２と、該連結面部４２の左右両側縁からそれぞれ垂設された側面部４３、４４と、該側面部４３、４４の下縁から互いに近付く方向へ突出された突出面部４５、４６とを有している。
【００７８】
ホルダー８の側面部４３、４４の後端部には、それぞれ被支持孔４３ａ、４４ａが形成されている。
【００７９】
突出面部４５、４６には、その前端部にそれぞれ突部挿通孔４５ａ、４６ａが形成されている。
【００８０】
ホルダー８は、側面部４３、４４の後端部に形成された被支持孔４３ａ、４４ａにそれぞれシャーシ７の後端部に設けられた支持突部１０、１０の支持軸１０ａ、１０ａが挿入され、該支持軸１０ａ、１０ａを支点としてシャーシ７に回動自在に支持される。
【００８１】
電子機器１の蓋部５を開放すると、同時にホルダー８がシャーシ７に対して回動されディスクカートリッジ１００の挿入が可能な状態となる（図１参照）。
【００８２】
ディスクカートリッジ１００がホルダー８内に挿入されて蓋部５が閉塞されると、ディスクカートリッジ１００を保持したホルダー８がシャーシ７に近付く方向へ回動され、ケース体１０１に形成された位置決め穴１０１ｄ、１０１ｄにそれぞれシャーシ７に設けられた位置決めピン１３、１３が挿入され、ディスク状記録媒体２００のシャーシ７に対する位置決めが行われる。このときケース体１０１のテーブル挿入孔１０１ｂにはディスクテーブル１５が挿入され、該ディスクテーブル１５に設けられたマグネットにディスク状記録媒体２００に設けられたコア２０１が吸着されディスク状記録媒体２００がディスクテーブル１５に装着される。
【００８３】
このときケース体１０１は、下面１０１ａが受け台部１１、１１、１２、１２に接した状態で保持される。
【００８４】
ディスクテーブル１５に装着されたディスク状記録媒体２００は、ディスクテーブル１５に伴って回転され、光ピックアップ１７の駆動によりディスク状記録媒体２００に対する情報信号の記録又は再生が行われる。
【００８５】
ディスク状記録媒体２００に対する情報信号の記録又は再生が終了し、再び、蓋部５が開放されると、ホルダー８がシャーシ７から離隔する方向へ回動されディスクテーブル１５へのディスク状記録媒体２００の装着が解除される。
【００８６】
ホルダー８が所定の位置まで回動されると、図示しないイジェクトレバーによってディスクカートリッジ１００が押圧され、ディスクカートリッジ１００はホルダー８から一部が突出された状態とされる。ユーザーはホルダー８から突出された部分を把持して引き抜くことにより、ディスクカートリッジ１００をホルダー８から取り出すことができる。
【００８７】
以上に記載した通り、電子機器１にあっては、樹脂材料から成る２つの軸受３１、３２を導電性金属材料から成るシャーシ７と一体に形成し、リードスクリュー２０の軸方向における一方の端部を押さえる押さえ部材３３の一部をシャーシ７に接触させた状態で該シャーシ７に取り付けるようにしている。
【００８８】
従って、軸受３１、３２の良好な加工精度を確保しシャーシ７に対するリードスクリュー２０の位置精度の向上を図ることができると共に良好な接地構造を確保することができ光ピックアップ１７の各部品の静電破壊を防止することができる。
【００８９】
また、軸受３１、３２が樹脂材料によって形成されているため、軸受としてダイカスト部品等を用いる場合に比し、製造コストの低減を図ることができる。
【００９０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９１】
【図１】図２乃至図９と共に本発明を実施するための最良の形態を示すものであり、本図はディスクカートリッジと共に示す電子機器の斜視図である。
【図２】図１とは異なる方向から見た状態で示す電子機器の斜視図である。
【図３】ディスクドライブ装置の分解斜視図である。
【図４】ディスクドライブ装置の斜視図である。
【図５】シャーシの拡大背面図である。
【図６】要部の拡大背面図である。
【図７】押さえ部材の拡大斜視図である。
【図８】押さえ部材の被取付突部と駆動モーターの取付板金がシャーシに取り付けられる状態を示す拡大斜視図である。
【図９】押さえ部材によってリードスクリューが押さえられている状態を示す拡大背面図である。
【符号の説明】
【００９２】
１…電子機器、６…ディスクドライブ装置、７…シャーシ、１５…ディスクテーブル、１７…光ピックアップ、２０…リードスクリュー、２１…ガイド部材、２４…駆動モーター、３１…軸受、３２…軸受、３３…押さえ部材、３５…スラスト押さえ部、３６…ラジアル押さえ部、３８…被取付突部、４０…取付ネジ、２００…ディスク状記録媒体
【図１】
2006099906.tif 000003
【図２】
2006099906.tif 000004
【図３】
2006099906.tif 000005
【図４】
2006099906.tif 000006
【図５】
2006099906.tif 000007
【図６】
2006099906.tif 000008
【図７】
2006099906.tif 000009
【図８】
2006099906.tif 000010
【図９】
2006099906.tif 000011